(57)【要約】   電源投入後からＩＰ放送を表示するまでの時間を短くすることができる放送受信装置を提供する。放送受信装置１は、起動後に、ＤＮＳサーバのアドレスの設定を含むインターネットプロトコル（ＩＰ）に関する設定を自動的に行い、指定したチャンネルのＩＰ放送をマルチキャスト通信にて受信するものであって、ＤＮＳサーバのアドレスの設定完了前に、予め記憶した、指定したチャンネルに対応するマルチキャストアドレスを指定して、ＩＰ網４を介したＩＰ放送サーバ５３ａからのＩＰ放送の受信を開始する。
2009069737.tif 000002
【特許請求の範囲】
【請求項１】
起動後に、ＤＮＳサーバのアドレスの設定を含むインターネットプロトコルに関する設定を自動的に行い、指定したチャンネルのＩＰ放送をマルチキャスト通信にて受信する放送受信装置であって、
前記ＤＮＳサーバのアドレスの設定完了前に、予め記憶した、前記指定したチャンネルに対応するマルチキャストアドレスを指定して、前記ＩＰ放送の受信を開始することを特徴とする放送受信装置。
【請求項２】
起動後に、ＤＮＳサーバのアドレスの設定を含むインターネットプロトコルに関する設定を自動的に行い、指定したチャンネルのＩＰ放送をマルチキャスト通信にて受信する放送受信装置であって、
前記ＤＮＳサーバのアドレスの設定と並行して、予め記憶した、前記指定したチャンネルに対応するマルチキャストアドレスを指定して、前記ＩＰ放送の受信を開始することを特徴とする放送受信装置。
【請求項３】
前記ＩＰ放送を初めて受信するときにチャンネルサーチを行い、前記マルチキャストアドレスを前記チャンネルに対応づけて事前に記憶することを特徴とする請求項１または２に記載の放送受信装置。
【発明の詳細な説明】
【技術分野】
【０００１】
本発明は、ＩＰ放送を受信する放送受信装置に関するものである。
【背景技術】
【０００２】
ＩＰ（Internet Protocol）を使ったサービスを受けるには、ＩＰインタフェースの設定を行う必要がある。手動でのＩＰインタフェースの設定は、煩雑かつ専門知識が必要であったりするため、自動設定の仕組みを利用して設定を行うのが一般的である。ＩＰを使ったサービスを利用するために最低限必要な設定は、ＩＰアドレス／ネットマスク／デフォルトゲートウェイ／ＤＮＳ（Domain Name Service/Server）アドレスの４つが必要である。図５は、パーソナルコンピュータ（ＰＣ）等における一般的なＩＰインタフェースの自動設定方法を説明する図である。【０００３】
ＩＰｖ４（Internet Protocol version 4）では、図５（Ａ）に示すように、ＤＨＣＰ（Dynamic Host Configuration Protocol）を用い、この４つを設定する（ステップＳ１０１）。これに失敗した場合（ステップＳ１０２、ＮＯ）でも、ローカルネット内でのサービスを受けられるようにするために、ＡｕｔｏＩＰ（ＡＰＩＰＡ：Automatic Private IP Addressing）によって、ローカルネット内でのみ通用するＩＰアドレス／ネットマスクを割り当てるように設定する（ステップＳ１０３）。【０００４】
一方、ＩＰｖ６（Internet Protocol version 6）では、図５（Ｂ）に示すように、ルータ広告（ＲＡ：Router Advertisement）によってＩＰアドレス／ネットマスク／デフォルトゲートウェイの設定を行い（ステップＳ１１１）、ＤＨＣＰｖ６（Dynamic Host Configuration Protocol for IPv6）によってＤＮＳアドレスの設定を行う（ステップＳ１１２）（なお、ＤＨＣＰｖ６によってＩＰアドレス等の設定も可能であるがアドレスはＲＡを利用するのが一般的である）。【０００５】
近年では、ネットワークのブロードバンド化に伴い、ＩＰ（Internet Protocol）を使ったサービスとして、ＩＰ放送が提案されている。ＩＰ放送に用いられる放送受信装置としては、ＳＴＢ（Set Top Box）等の専用機器が一般的であり、ユーザは、この専用機器を経由して一般のテレビ受像機（ＴＶ受像機）でコンテンツの視聴が可能となっている。また、ＩＰ放送用の放送受信装置を内蔵させたテレビ受像機やレコーダも提案されている。
ＩＰ放送は、ＩＰマルチキャストの仕組みを用いており、また、マルチキャスト通信にはＩＰｖ６が好適であることもあるため、ＩＰ放送用の放送受信装置では、ＩＰｖ６が用いられる。
【発明の開示】
【発明が解決しようとする課題】
【０００６】
ＰＣ等の場合は、起動画面を持っているため、ネットワーク設定（ＩＰインタフェース設定）自体を後回しにできるが、テレビ受像機等の場合、ＩＰ放送を受信・表示するよう起動させたときに、何らかの映像を直ちに映す必要があるため、起動時のネットワーク設定は必須である。そのため、従来のテレビ受像機は、起動された後、図６に示すように、ＩＰインタフェースの自動設定を開始し、上述のようにＲＡによる設定を行い（ステップＳ１２１）、ＤＨＣＰによる設定を行う（ステップＳ１２２）。そして、ＩＰインタフェースの設定が全て終了した後、ＩＰ放送を受信し、ＩＰ放送サービスを開始させていた。【０００７】
しかし、この自動設定の仕組みは、「起動した装置がインタフェースを介して、設定要求を投げ、タイムアウト待ちをし、リプライを受けたうえで設定が完了する」、という流れのため、設定完了までに時間がかかることが多い。特にテレビ受像機においては、電源を投入してから映像が出るまでの時間が非常に重要で、ミリ秒単位の突き詰めを行う上でこの待ち時間は非常に問題となる。【０００８】
本発明は、上述のような実情を考慮してなされたものであり、電源投入後からＩＰ放送を表示するまでの時間を短くすることができる放送受信装置を提供することを目的とする。
【課題を解決するための手段】
【０００９】
上記課題を解決するために、本発明の第１の技術手段は、起動後に、ＤＮＳサーバのアドレスの設定を含むインターネットプロトコルに関する設定を自動的に行い、指定したチャンネルのＩＰ放送をマルチキャスト通信にて受信する放送受信装置であって、前記ＤＮＳサーバのアドレスの設定完了前に、予め記憶した、前記指定したチャンネルに対応するマルチキャストアドレスを指定して、前記ＩＰ放送の受信を開始することを特徴とする。【００１０】
本発明の第２の技術手段は、起動後に、ＤＮＳサーバのアドレスの設定を含むインターネットプロトコルに関する設定を自動的に行い、指定したチャンネルのＩＰ放送をマルチキャスト通信にて受信する放送受信装置であって、前記ＤＮＳサーバのアドレスの設定と並行して、予め記憶した、前記指定したチャンネルに対応するマルチキャストアドレスを指定して、前記ＩＰ放送の受信を開始することを特徴とする。【００１１】
本発明の第３の技術手段は、前記ＩＰ放送を初めて受信するときにチャンネルサーチを行い、前記マルチキャストアドレスを前記チャンネルに対応づけて事前に記憶することを特徴とする。
【発明の効果】
【００１２】
本発明の放送受信装置によれば、電源投入後からＩＰ放送を表示するまでの時間を短くすることができる。
【図面の簡単な説明】
【００１３】
【図１】本発明の放送受信装置が適用されたテレビ受像機が組み込まれたＩＰ放送システムの構成の一例を示す概略図である。
【図２】図１のテレビ受像機の構成の一例を示すブロック図である。
【図３】図１のテレビ受像機における起動時の処理を説明するための図である。
【図４】図１のテレビ受像機を起動した際にテレビ受像機‐ルータ間で送受信される情報やメッセージと、その際にルータで行われる処理について説明するための図である。
【図５】従来のＰＣ等におけるＩＰインタフェースの設定方法を説明するためのフローチャートである。
【図６】従来のテレビ受像機における起動時の処理を説明するためのフローチャートである。
【符号の説明】
【００１４】
１…テレビ受像機、２…リモコン、３…ルータ、４…ＩＰ網、５…ＣＤＮ、６…ＬＡＮ、１０…放送受信装置、１１…ネットワークＩ／Ｆ、１２…ＩＰ放送チューナ部、１３…選局部、１４…ＤＭＵＸ、１５…ＡＶデコード部、１６…ＡＶ出力変換部、１７…ＣＰＵ、１８…ＲＡＭ、１９…不揮発性メモリ、２０…リモコン受光部、２１…通信制御部、３０…表示装置、４０…スピーカ、５１，５２…ＰＦ、５３ａ…ＩＰ放送サーバ、５３ｂ…ポータルサーバ。
【発明を実施するための最良の形態】
【００１５】
本発明に係る放送受信装置は、ＩＰ放送を受信可能な装置であり、表示装置を内蔵したテレビ受像機に好適に適用可能なものであり、その他、レコーダ等の様々な機器に適用可能である。本明細書では、本発明に係る放送受信装置を、表示装置を内蔵したテレビ受像機に適用した例で説明する。
図１は、本発明の放送受信装置が適用されたテレビ受像機が組み込まれたＩＰ放送システムの構成の一例を示す概略図である。また、図２は、図１のテレビ受像機の構成の一例を示すブロック図である。なお、本テレビ受像機は、ＩＰとしては、全ての通信においてＩＰｖ６を採用するものとして説明する。【００１６】
ＩＰ放送システムは、例えば、図１に示すように、表示装置３０とスピーカ４０を有しリモコン２によりユーザに操作されるテレビ受像機１と、ルータ３を備えており、テレビ受像機１にルータ３及びＩＰ網４を介してＣＤＮ（Contents Delivery Network）５が接続されて成る。このＣＤＮ５は、配信事業者のグループであるＰＦ（Platform）５１，５２からなり、各ＰＦ５１，５２がＩＰ放送サーバ５３ａ及びポータルサーバ５３ｂを有し、各ＩＰ放送サーバ５３ａ及びポータルサーバ５３ｂがＩＰ網４に接続されている。【００１７】
ＩＰ放送サーバ５３ａは、ＩＰ放送を放送するためのサーバ装置であり、ＲＴＰ（Real-time Transfer Protocol）に従って、放送データをＩＰ網４に、チャンネル毎に異なるマルチキャストアドレスで出力する。ＲＴＰの場合のトランスポート層としては、後述するように、ＵＤＰ（User Datagram Protocol）が用いられる。テレビ受像機１は、これらＩＰ放送サーバ５３ａよりルータ３を介してＩＰ放送を受信して、表示装置３０やスピーカ４０を用いて再生する。【００１８】
ポータルサーバ５３ｂは、テレビ受像機１からのサイト情報送信要求を受信したとき、ＸＭＬ形式やＨＴＭＬ形式でサイト情報を提供する。このときの通信プロトコルには、例えば、ＨＴＴＰ（Hypertext Transfer Protocol）が用いられる。なお、サイト情報とは、ポータルサーバ５３ｂが提供するサービスのためのサイト（例えば、ＩＰ放送を含むＩＰＴＶサービスの案内や契約等を行うサイト）をＷｅｂブラウザ等で表示するのに必要な情報をいう。【００１９】
また、ＣＤＮ５は、上記のサーバ以外に、後述のＣＤＮ構成情報を記憶するサーバや、後述のＰＦ構成情報を記憶するサーバを有する。これらサーバは、互いに一体のサーバであってもよいし、ＩＰ放送サーバ５３ａやポータルサーバ５３ｂと一体のサーバであってもよい。このＣＤＮ構成情報やＰＦ構成情報は、例えば、ＸＭＬ形式で記述されたメタデータであり、該当するサーバからＨＴＴＰで送信され、受信したテレビ受像機１では、後述のチャンネルサーチ等に用いられる。【００２０】
続いて、テレビ受像機１の基本的な構成について説明する。
テレビ受像機１は、図２に示すように、ＩＰ放送を受信可能とするため、例えば、ＬＡＮ（Local Area Network）６に接続され、ＩＰ放送サーバ５３ａからＬＡＮ６を介してＩＰ放送のＵＤＰパケットを受信するネットワークインタフェース（ネットワークＩ／Ｆ）１１と、ネットワークＩ／Ｆ１１を介してＵＤＰパケットで受信したＩＰ放送をＴＳパケットに変換するＩＰ放送チューナ部１２と、後述する選局部１３とを備える。【００２１】
チューニング（選局）を行う選局部１３におけるＩＰ放送の選局処理としては、マルチキャストアドレス群の中から、ユーザ選択されたＩＰ放送チャンネルに該当するマルチキャストアドレスを指定し、ネットワークＩ／Ｆ１１に伝える。ネットワークＩ／Ｆ１１は、選局部１３によって設定されたマルチキャストアドレスで動作し、放送されているネットワークストリーム（ＵＤＰパケット）を受信しＩＰ放送チューナ部１２へ伝送する。ＩＰ放送チューナ部１２は、ネットワークストリームをＴＳパケットに変換し、映像／音声ストリームやＳＩ（Service Information）専用ストリームとして後述のＤＭＵＸ１４へ出力する。このように、映像・音声ストリーム、ＳＩ専用スストリームのいずれにおいても、選局部１３におけるＩＰ放送の選局動作は、ネットワークＩ／Ｆ１１に対してマルチキャストアドレスを設定することで行われる。【００２２】
テレビ受像機１は、さらに、ＩＰ放送ストリームからの番組データの抽出や、復調されたデータの分離を行う分離部（ＤＭＵＸ：Demultiplexer）１４と、分離されたＩＰ放送のビデオデータ及びオーディオデータをそれぞれビデオ信号及びオーディオ信号にデコードするＡＶデコード部１５と、ビデオ信号及びオーディオ信号を出力用のものに変換するＡＶ出力変換部１６と、を備える。【００２３】
また、放送受信装置１０は、さらに、放送受信装置１０全体の制御を実行するＣＰＵ１７と、任意のアドレスを指定して読み書きすることが可能な半導体メモリであってＣＰＵ１７の作業領域となって不揮発性メモリに格納されたプログラムを読み出したり、処理中のデータを一時的に格納したりするＲＡＭ１８と、を備える。また、放送受信装置１０は、放送受信装置１０全体の制御を行うための制御プログラムや、通信用の設定情報等の各種情報が格納される書換え可能な不揮発性メモリ１９を、備える。【００２４】
テレビ受像機１において、放送受信装置１０は、液晶表示装置等の表示装置３０と、音声出力用のスピーカ４０とに接続されている。表示装置３０は、ＡＶ出力変換部１６から出力されたビデオ信号に基づき、映像を表示し、スピーカ４０は、ＡＶ出力変換部１６から出力された出力信号に基づき音声を出力する。【００２５】
また、リモコン２には、例えば、テレビ受像機１の電源のＯＮ／ＯＦＦを操作する電源ボタンや、チャンネル番号を選択する操作を行うためのチャンネル選択ボタン、チャンネル番号を上方向及び下方向に操作して選択するチャンネル上下ボタン、テレビ受像機１の各種設定を行うメニュー画面を表示する操作を行うためのメニュー画面表示ボタン、メニューをはじめ設定時のカーソル位置の左右上下方向への移動操作や決定操作を行うための移動・決定ボタン等が設けられている。リモコン２は、設けられたボタンの押下によって操作信号を生成し、テレビ受像機１のリモコン受光部２０へその操作信号を送信する。【００２６】
テレビ受像機１は、ユーザが操作するリモコン２からの操作信号を受信するリモコン受光部２０を備える。ＣＰＵ１７は、その操作信号をリモコン受光部２０から受け取り、テレビ受像機１の現在の動作状態に応じた動作を実行するようテレビ受像機１内の各部を制御する。【００２７】
このような構成により、テレビ受像機１では、ＩＰ放送を受信し、受信したものを表示等することができる。【００２８】
また、テレビ受像機１は、ネットワークＩ／Ｆ１１を介した通信を制御する通信制御部２１を備える。通信制御部２１は、ＩＰ放送のためのＵＤＰ／ＩＰ通信に用いられ、また、このＩＰ放送のための通信を可能にする設定を行うための通信にも用いられる。【００２９】
次に、本発明の特徴である、テレビ受像機１において起動時に行う処理について説明する。【００３０】
ＩＰ放送は、ＩＰＴＶサービスの一例であり、ＩＰＴＶサービスには、その他にＶＯＤ（Video On Demand）サービスやポータルサービスがあるが、テレビ受像機として基本となるサービスは、ＩＰ放送である。ＩＰ放送ではＩＰｖ６のマルチキャストの仕組みを用いている。
テレビ受像機１において、ＩＰｖ６を用いたＩＰ放送を受信できるようになるまでの処理・手順（例えば、受信契約や後述のチャンネルサーチ）には、ＩＰインタフェースの設定として、ＩＰアドレス／ネットマスク／デフォルトゲートウェイ／ＤＮＳアドレスの全てが必要である。しかし、テレビ受像機１では、ＩＰ放送のチャンネルに対応したマルチキャストアドレスを記憶しているので、チャンネルサーチまで終わり、すでに受信できる状態にあれば、ＩＰアドレス／ネットマスク／デフォルトゲートウェイだけでサービス受信を開始することができる。【００３１】
そこで、テレビ受像機１は起動時に以下の図３のように動作する。テレビ受像機１は、電源ＯＦＦ状態にあったとき、リモコン２の電源ボタンや表示装置の前面に設けられた電源ボタン等が押下されたことを検知すると、テレビ受像機１が起動されたものと判断し、ＩＰを使ったサービスのために、ＩＰインタフェースの設定を開始する。開始後、テレビ受像機１は、通信制御部２１及びネットワークＩ／Ｆ１１を制御して、ＩＣＭＰｖ６（Internet Control Message Protocol for IPv6）の近隣探索機能を用いて、ＬＡＮに接続されたルータ（ルータ機能を持ったサーバ）からＲＡを受信し、ＲＡに基づき、ＩＰアドレス／ネットマスク／デフォルトゲートウェイ（ステップＳ１）を設定し、通信制御部２１のメモリや不揮発性メモリ１９に記憶する。【００３２】
そして、ＤＮＳアドレスの設定完了前（ＤＮＳアドレスを設定する前または設定中）に、選局部１３を用いて、既にチャンネルサーチにより不揮発性メモリ１９に記憶したマルチキャストアドレス群の中から、指定したチャンネルに対応するマルチキャストアドレス、すなわち、ユーザ選択された又は前回電源ＯＦＦ時のＩＰ放送チャンネルに該当するマルチキャストアドレスを指定し、ネットワークＩ／Ｆ１１に対して、指定したマルチキャストアドレスを設定する。ＩＰ放送チャンネルに対応したマルチキャストアドレスを記憶する方法については後述する。【００３３】
さらに、ネットワークＩ／Ｆ１１が、ステップＳ１で設定したＩＰアドレス／ネットマスク／デフォルトゲートウェイと上記マルチキャストアドレスによって、放送されているストリームを受信する。このようにして、テレビ受像機１は、ＩＰ放送サービスを開始することができる。【００３４】
また、テレビ受像機１は、ＤＨＣＰｖ６によってＤＮＳアドレスを設定し、通信制御部２１のメモリや不揮発性メモリ１９に記憶する（ステップＳ２）が、この設定は、ＩＰ放送の受信・表示処理のバックグランドで行う。こうすることで、ユーザからみた電源投入からサービス開始までの時間を大幅に短縮することができる。【００３５】
テレビ受像機１を起動した際にテレビ受像機‐ルータ間で送受信される情報やメッセージと、ルータで行われる処理について、図４を用いて説明する。
起動されたテレビ受像機１は、通信制御部２１及びネットワークＩ／Ｆ１１を制御して、リンク内のルータを探索するために、ＲＡを要求するＲＡ要求（ルータ要請メッセージ）を、リンクローカルなマルチキャストアドレスを指定して送信する（Ｓ１１）。ルータは、ルータ要請メッセージに応答して、ＲＡ（メッセージ）を送信する（Ｓ１２）。ＲＡには、例えば、ネットワークプレフィックスや送信元ルータのＩＰアドレスの情報が含まれる。この例では、テレビ受像機１は、例えば、ネットワークプレフィックス情報等に基づいて、リンクローカルユニキャストアドレス及びグローバルユニキャストアドレス（ＩＰアドレス）並びにネットマスクを設定し、ＲＡの送信元ルータのＩＰアドレスをデフォルトゲートウェイとして設定する。【００３６】
テレビ受像機１は、ＲＡの送信元のルータに、ＭＬＤ（Multicast Listener Discovery）プロトコルで、受信するＩＰ放送チャンネルに対応するマルチキャストアドレスが示されたマルチキャスト要求を送信する（Ｓ１３）。ルータでは、マルチキャスト要求に基づいて、サーバから送信されたＩＰパケットを受信し、ＩＰパケットを複製する。そして、ルータは、テレビ受像機１により指定されたマルチキャストアドレスのグループにＩＰパケットを送信する（Ｓ１４）。これにより、テレビ受像機１は、マルチキャストアドレスに応じてサーバからのＩＰ放送することができ、ＩＰ放送が開始されたことになる。【００３７】
また、テレビ受像機１では、Ｓ１３のマルチキャスト要求を行うタイミングと同様なタイミングで、ＤＮＳアドレスを設定するために、ＤＨＣＰｖ６要求を、リンクローカルなマルチキャストアドレスを指定して送信する（Ｓ１５）。このとき、ルータがＤＨＣＰｖ６サーバ機能を有していれば、ＤＨＣＰｖ６応答を返信（送信）する。ＤＨＣＰｖ６応答には、ＤＮＳアドレスが示されており、これに基づき、テレビ受像機１では、ＤＮＳアドレスを設定することができる。【００３８】
以上のように、テレビ受像機１では、ＩＰインタフェースの設定として、ＩＰアドレス／ネットマスク／デフォルトゲートウェイの３つの設定が終わった後に、チャンネルサーチで取得したマルチキャストアドレスを用いて、ＤＮＳアドレスの設定の完了を待たずに、ＩＰ放送の受信を開始するので、起動してから映像を表示するまでの時間を早くすることができる。【００３９】
以下では、チャンネルサーチについて説明する。
ＩＰ放送を視聴するには、テレビ受像機１の設置・設定の際に（つまり、テレビ受像機１で初めてＩＰ放送を受信する前に）、チャンネルサーチとよばれる手順を踏む。このチャンネルサーチは、一般的なアナログ放送やデジタルでのチャンネルに周波数を合わせるチャンネルサーチと同等の処理である。一連のチャンネルサーチのシーケンスを行うには、ＩＰインタフェースの設定は全て終わっており、ＩＰアドレス、ＤＮＳアドレスの両方が揃っている必要があるため、テレビ受像機１では、チャンネルサーチの前に、例えば、従来の図５（Ｂ）に示した方法と同様にして、ＩＰインタフェースの設定を行う。【００４０】
テレビ受像機１は、チャンネルサーチでは、まず、通信制御部２１及びネットワークＩ／Ｆ１１を制御して、ＣＤＮ構成情報を記憶しているサーバ（ＣＤＮ構成情報記憶サーバ）からそのＣＤＮ構成情報を取得する。ＣＤＮ構成情報は、後述のＰＦ構成情報が取得できるサーバ（ＰＦ構成情報記憶サーバ）の情報を示すものであり、例えば、ＸＭＬで記述されたメタデータで構成される。ＣＤＮ構成情報が取得できるサーバは、そのＵＲＩ（Uniform Resource Identifier）がＵＲＬ（Uniform Resource Locator）で固定で指定されており、テレビ受像機１では、このサーバのＵＲＬを予め（例えば、製品出荷時）に記憶している。テレビ受像機１では、このＵＲＬに基づいて、ＤＮＳ引きによって、ＣＤＮ構成情報記憶サーバのＩＰアドレスを取得し、取得したＩＰアドレスに基づいて、ＣＤＮ構成情報記憶サーバへアクセスし、ＣＤＮ構成情報を取得する。この際の通信プロトコルには、ＨＴＴＰが用いられる。【００４１】
次いで、テレビ受像機１は、ＣＤＮ構成情報には、ＰＦ構成情報記憶サーバの情報としてＵＲＩがＵＲＬで示されているので、ＰＦ構成情報記憶サーバのＵＲＬに基づいて、ＤＮＳ引きによって、ＰＦ構成情報記憶サーバのＩＰアドレスを取得する。そして、取得したＩＰアドレスに基づいて、ＰＦ構成情報記憶サーバへアクセスし、ＰＦ構成情報を取得する。ＰＦ構成情報は、ＣＤＮを構成するＰＦがどのようなものであるか、また、各ＰＦがどのように構成されているかを示すものであり、例えば、ＸＭＬで記述されたメタデータで構成される。また、ＰＦ構成情報には、後述のＳＩ専用ストリームのマルチキャストアドレスが示されている。なお、ＰＦ構成情報の取得の際にも、通信プロトコルとしてＨＴＴＰが用いられる。【００４２】
そして、テレビ受像機１は、ＰＦ構成情報に記述されたマルチキャストアドレスをネットワークＩ／Ｆ１１に指定し、ＳＩ専用マルチキャストストリームを受信する。このＳＩ専用マルチキャストストリームを受信することによって、全てのＰＦで提供されるＩＰ放送サービスの情報（マルチキャストアドレス、チャンネル番号等）を取得することができる。テレビ受像機１では、電波による放送でのチャンネル番号と周波数の対応と同様に、チャンネル番号とマルチキャストアドレスを対応させられるように、取得した情報をチャンネルデータとして不揮発性メモリ（ＶＭＲＡＭ）１９へ記録する。ＩＰ放送サービスを受信する際は、テレビ受像機１は、このチャンネルデータを読み出して行う。【００４３】
上述のように、チャンネルサーチを行うには、ＩＰ設定は全て終わっており、ＩＰアドレス、ＤＮＳアドレス両方が揃っている必要がある。しかし、チャンネルサーチを行った結果は、不揮発性メモリ（ＮＶＲＡＭ：Non-Volatile RAM）１９へ記録するため、一度電源を切っても使用できる。また、マルチキャストアドレスはＤＮＳ引きする必要のない生のアドレスデータとして取得するため、チャンネルサーチ後のＩＰ放送受信に当たっては、ＤＮＳ引きを必要としない。チャンネルサーチは初めてＩＰ放送を受信するときにのみ行い、後は、自動で定期的に更新は行うが、起動直後に必要となることはなく、ＩＰ放送サービスを受信する際は、テレビ受像機１は、不揮発性メモリ１９に蓄えられたチャンネルデータのみを使用し行う。
よって、起動直後にＩＰ放送の動画を表示するためにはＤＮＳ設定は必要なく、ＩＰアドレスの設定が終わっていればよい。【００４４】
家電においては、電源投入直後に即、サービスが利用できることが要求され、なおかつ起動時間（電源投入からサービスが受けられるまでの時間）に対する要求もシビアである。ところが、ネットワークサービスは要求を投げ、タイムアウト待ちをするという仕組みであり、サーバの即時応答も期待できないため、ＤＮＳアドレス取得処理のために数秒以上の時間を浪費する可能性がある。サービス受信までに必要な処理を一つでも省略できることの意味は大きい。【００４５】
なお、ＩＰ放送の受信のためのマルチキャスト要求の送信タイミング（Ｊｏｉｎ開始タイミング）及びＤＮＳサーバアドレスの設定（ＤＨＣＰ）のタイミングについて補足しておく。
上述のようにＪｏｉｎ開始にＤＮＳサーバアドレス設定の完了を前提としないシステムにおいては、テレビ受像機１は、ＤＨＣＰの開始をＪｏｉｎの前に行い、ＤＨＣＰ処理の完了を前提とせずにＪｏｉｎを開始させ、ＪｏｉｎとＤＨＣＰを並行処理してもよい。また、ＤＨＣＰの開始前にＪｏｉｎを行う場合は、Ｊｏｉｎの処理が完了した後にＤＨＣＰを開始してもよいし、Ｊｏｉｎの処理の完了を待たずしてＤＨＣＰを並列処理してもよい。並列処理を可能としておけば、ＪｏｉｎとＤＨＣＰの処理の開始のタイミングを、ネットワーク状態その他の要因によって可変とすることができる。
【図１】
2009069737.tif 000003
【図２】
2009069737.tif 000004
【図３】
2009069737.tif 000005
【図４】
2009069737.tif 000006
【図５】
2009069737.tif 000007
【図６】
2009069737.tif 000008
【国際調査報告】
2009069737.tif 000009
2009069737.tif 000010
2009069737.tif 000011
2009069737.tif 000012